(57)【要約】【課題】リピート再生する際に指定する再生終了点を自動で指定するようにし、ユーザに煩わしさを感じさせないようにした再生装置を提供する。【解決手段】光ディスク装置１は、所謂ＤＶＤプレーヤであり、装置本体１にセットされている光ディスク１００に対し指定されたアドレスのデータの読取を行うＰＵヘッド２と、ＲＦアンプなどの再生回路３と、データをデコードするデコーダ４と、データをD／A変換するD／A回路５と、装置本体１の各部を制御する制御部６と、情報を表示する表示部９と、再生キー等が設けられている操作部１０と、２点間時間を予め複数記憶する記憶部１１と、を備える。制御部６は、指定された再生開始点に、選択されている２点間時間を加えて再生終了点を算出し、再生終了点を自動で指定する。【選択図】  図１
2007059976.tif 000002
【特許請求の範囲】
【請求項１】
装置本体にセットされている情報記憶媒体に対し、指定されたアドレスのデータの読取を行う読取手段と、
前記読取手段にアドレスを指定し、再生開始点から再生終了点までの２点間を繰り返し再生するリピート再生モードを実行する制御手段と、を備えた再生装置において、
前記２点間の長さを、２点間時間として予め複数記憶する記憶手段と、
前記記憶手段が記憶する複数の前記２点間時間の中から所望の該２点間時間を選択する２点間時間選択キーと、リピート再生を行うリピート再生キーと、該リピート再生の再生開始点を指定する再生開始点指定キーと、を有する操作手段と、を備え、
前記制御手段は、前記操作手段の前記２点間時間選択キーにより前記２点間時間が選択され、且つ前記操作手段のリピート再生キーが押下され、且つ前記操作手段の前記再生開始点指定キーにより再生開始点が指定された場合、該再生開始点に該２点間時間を加えて再生終了点を算出し、該再生開始点から該再生終了点までの２点間で前記リピート再生モードを実行し、
前記記憶手段が記憶する複数の前記２点間時間の中から所望の該２点間時間を選択するためのメニュー画面を表示する表示手段を備え、
前記操作手段は、前記メニュー画面を前記表示手段に表示するメニュー画面表示キーを有し、
前記制御手段は、前記操作手段の前記メニュー画面表示キーが押下されると、前記メニュー画面を前記表示手段に表示させ、
前記制御手段は、前記情報記憶媒体に記録されているテレビ番組のコマーシャルを検出するコマーシャル検出機能を有し、
前記制御手段は、前記リピート再生モードを実行している場合において、該モードの再生終了点が、前記コマーシャル検出機能により検出した前記コマーシャルの範囲内にあると判断すると、該再生終了点を該コマーシャルが始まる前のテレビ番組の末端アドレス又は該コマーシャルの先頭アドレスにシフトし、
前記再生装置は、光ディスク装置、又はハードディスクレコーダである再生装置。
【請求項２】
装置本体にセットされている情報記憶媒体に対し、指定されたアドレスのデータの読取を行う読取手段と、
前記読取手段にアドレスを指定し、再生開始点から再生終了点までの２点間を繰り返し再生するリピート再生モードを実行する制御手段と、を備えた再生装置において、
前記２点間の長さを、２点間時間として予め複数記憶する記憶手段と、
前記記憶手段が記憶する複数の前記２点間時間の中から所望の該２点間時間を選択する２点間時間選択キーと、リピート再生を行うリピート再生キーと、該リピート再生の再生開始点を指定する再生開始点指定キーと、を有する操作手段と、を備え、
前記制御手段は、前記操作手段の前記２点間時間選択キーにより前記２点間時間が選択され、且つ前記操作手段のリピート再生キーが押下され、且つ前記操作手段の前記再生開始点指定キーにより再生開始点が指定された場合、該再生開始点に該２点間時間を加えて再生終了点を算出し、該再生開始点から該再生終了点までの２点間で前記リピート再生モードを実行する再生装置。
【請求項３】
前記記憶手段が記憶する複数の前記２点間時間の中から所望の該２点間時間を選択するためのメニュー画面を表示する表示手段を備え、
前記操作手段は、前記メニュー画面を前記表示手段に表示するメニュー画面表示キーを有し、
前記制御手段は、前記操作手段の前記メニュー画面表示キーが押下されると、前記メニュー画面を前記表示手段に表示させる請求項２に記載の再生装置。
【請求項４】
前記制御手段は、前記情報記憶媒体に記録されているテレビ番組のコマーシャルを検出するコマーシャル検出機能を有し、
前記制御手段は、前記リピート再生モードを実行している場合において、該モードの再生終了点が、前記コマーシャル検出機能により検出した前記コマーシャルの範囲内にあると判断すると、該再生終了点を該コマーシャルが始まる前のテレビ番組の末端アドレス又は該コマーシャルの先頭アドレスにシフトする請求項２又は３に記載の再生装置。
【請求項５】
前記再生装置は、光ディスク装置、又はハードディスクレコーダである請求項２から４のいずれかに記載の再生装置。
【発明の詳細な説明】
【技術分野】
【０００１】
本発明は、光ディスク、ハードディスクなどの情報記憶媒体に記録されているデータの読取を行う再生装置に関するものである。
【背景技術】
【０００２】
従来、ＤＶＤ（Digital  Versatile  Disk）、ハードディスク等の情報記憶媒体に記録されているＡＶ（Ａudio  Ｖisual）データを読み取り、このＡＶデータに基づく再生信号を生成して、再生映像をモニター等に出力する、又は再生音声をスピーカに出力する再生装置が一般に普及している。多くのユーザは、テレビで放送されている番組を情報記憶媒体に記録し、自分の都合にあわせて情報記憶媒体に記録した番組を視聴している。
【０００３】
上記従来の再生装置は、情報記憶媒体に記録されているＡＶデータを繰り返し再生するリピート再生機能を有している。ユーザがＡＶデータの再生開始点及び再生終了点の２点を指定すると、上記従来の再生装置は、該再生開始点から該再生終了点までの２点間をリピート再生する。
【０００４】
一方、特許文献１に記載されたような再生装置が提案されている。
【０００５】
この再生装置は、予め設定されたリバース時間を記憶する記憶手段と、繰り返し再生を行うリピート再生キーを有する操作手段と、装置本体を制御する制御手段と、を備える。
【０００６】
上記制御手段は、上記操作手段でリピート再生キーが押下されると、リバース時間だけ戻した位置からリピート再生キーが押下された位置までリピート再生する制御を行う。
【特許文献１】特開２００２−２０８２１２公報
【発明の開示】
【発明が解決しようとする課題】
【０００７】
しかしながら、繰り返し再生したい部分があれば、ユーザは、モニター等に出力される再生映像を実際に見ながら、又はスピーカから流れる音声を実際に聞きながら、該部分の再生開始点及び再生終了点を手動で指定する必要がある。そのため、特にこれら２点間の長さが長い場合、例えばユーザが３０分や１時間等の番組をまるごと指定するような場合、再生開始点を指定した後、早送りして３０分後や１時間後の映像や音声を実際にモニターやスピーカ等に出力（再生）してから再生終了点を指定しなければならず、非常に手間と時間がかかる。従って、上記従来の再生装置は、ユーザに大変な煩わしさを感じさせていた。
【０００８】
また、特許文献１では、つい聞き逃した映像や音声を過去に遡って自動で繰り返し視聴することができるが、これから視聴する映像や音声を繰り返し視聴する場合、ユーザは、モニター等に出力される再生映像を実際に見ながら、該部分の再生開始点及び再生終了点を手動で指定する必要がある。従って、上記従来の再生装置と同様の問題が生じる。
【０００９】
本発明はこのような従来の課題を解決しようとするものであり、リピート再生する際に指定する再生終了点を自動で指定するようにし、ユーザに煩わしさを感じさせないようにした再生装置を提供することを目的とする。
【課題を解決するための手段】
【００１０】
本発明の再生装置は、前記課題を解決するために以下の構成を備えている。
（１）装置本体にセットされている情報記憶媒体に対し、指定されたアドレスのデータの読取を行う読取手段と、
前記読取手段にアドレスを指定し、再生開始点から再生終了点までの２点間を繰り返し再生するリピート再生モードを実行する制御手段と、を備えた再生装置において、
前記２点間の長さを、２点間時間として予め複数記憶する記憶手段と、
前記記憶手段が記憶する複数の前記２点間時間の中から所望の該２点間時間を選択する２点間時間選択キーと、リピート再生を行うリピート再生キーと、該リピート再生の再生開始点を指定する再生開始点指定キーと、を有する操作手段と、を備え、
前記制御手段は、前記操作手段の前記２点間時間選択キーにより前記２点間時間が選択され、且つ前記操作手段のリピート再生キーが押下され、且つ前記操作手段の前記再生開始点指定キーにより再生開始点が指定された場合、該再生開始点に該２点間時間を加えて再生終了点を算出し、該再生開始点から該再生終了点までの２点間で前記リピート再生モードを実行する。
【００１１】
この構成において、情報記憶媒体は、例えばＣＤ、ＤＶＤ等の光ディスク、又はハードディスクである。再生装置は、例えばＤＶＤプレーヤ、又はハードディスクレコーダである。２点間時間は、例えば１０秒、３０秒、１分、５分、３０分、１時間、又は２時間である。
【００１２】
ユーザが所望の２点間時間を２点間時間選択キーで選択し、且つリピート再生キーを押下し、且つ再生開始点指定キーにより再生開始点が指定されると、上記制御手段は、該再生開始点に２点間時間を加えて再生終了点を算出し、該再生終了点を自動で指定する。そして、上記制御手段は、リピート再生モードを実行することにより、該再生開始点から該再生終了点までの２点間でリピート再生する。
【００１３】
以上より、リピート再生する際に指定する再生終了点を自動で指定するため、ユーザに煩わしさを感じさせることなくリピート再生できる。
（２）前記記憶手段が記憶する複数の前記２点間時間の中から所望の該２点間時間を選択するためのメニュー画面を表示する表示手段を備え、
前記操作手段は、前記メニュー画面を前記表示手段に表示するメニュー画面表示キーを有し、
前記制御手段は、前記操作手段の前記メニュー画面表示キーが押下されると、前記メニュー画面を前記表示手段に表示させる。
【００１４】
この構成において、表示手段は、例えば液晶パネルで構成されており、装置本体内蔵か否かを問わない。
【００１５】
ユーザが操作手段のメニュー画面表示キーが押下すると、メニュー画面が表示手段に表示される。ユーザは、メニュー画面の複数の２点間時間一覧から所望の２点間時間を選択する。
（３）前記制御手段は、前記情報記憶媒体に記録されているテレビ番組のコマーシャルを検出するコマーシャル検出機能を有し、
前記制御手段は、前記リピート再生モードを実行している場合において、該モードの再生終了点が、前記コマーシャル検出機能により検出した前記コマーシャルの範囲内にあると判断すると、該再生終了点を該コマーシャルが始まる前のテレビ番組の末端アドレス又は該コマーシャルの先頭アドレスにシフトする。
【００１６】
上記（１）により、再生終了点は自動で指定される。そのため、ユーザが望むと否とにかかわらず、再生終了点がコマーシャルに含まれる場合もある。
【００１７】
再生終了点がコマーシャルに含まれる場合であってユーザがこのことを望まない場合、再生終了点を含むコマーシャルは不要である。
【００１８】
よって、再生終了点がコマーシャルに含まれる場合、上記制御手段は、該コマーシャルをカットするため、再生終了点を上記末端アドレス又は先頭アドレスにシフト（言い換えれば補正）する。これにより、再生開始点から、シフト後の再生終了点までの２点間でリピート再生が行われる。
【００１９】
以上より、より適切な再生終了点が自動で指定される。
【００２０】
なお、コマーシャルの検出は、例えばテレビ番組と該テレビ番組のコマーシャルとの信号の違いを読み取り、ステレオ放送になった時、つまり音声信号切替え時、コマーシャルになったと判断する方法により行う。また、別の方法としては、音声信号切替え時だけでなく、テレビ番組と該テレビ番組のコマーシャルとの音声や映像の変化から、シーンチェンジを検出する方法もある。
（４）前記再生装置は、光ディスク装置、又はハードディスクレコーダである。
【発明の効果】
【００２１】
この発明によれば、リピート再生を行う際、ユーザに煩わしさを感じさせることがなくなる。
【発明を実施するための最良の形態】
【００２２】
以下、本発明の実施形態である光ディスク装置について説明する。
【００２３】
図１は、本発明の実施形態である光ディスク装置の主要な構成を示すブロック図である。
【００２４】
光ディスク装置１は、所謂ＤＶＤプレーヤであり、装置本体１にセットされている光ディスク１００に対し指定されたアドレスのデータの読取を行うピックアップヘッド２（以下、ＰＵヘッド２という。）と、ＲＦアンプなどの再生回路３と、データをデコードするデコーダ４と、データをD／A変換するD／A回路５と、装置本体１の各部を制御する制御部６と、情報を表示する表示部９と、再生キー等が設けられている操作部１０と、２点間時間を予め複数記憶する記憶部１１と、を備える。
【００２５】
光ディスク１００は、ＣＤ、又はＤＶＤである。
【００２６】
なお、この実施形態では、光ディスク装置で説明しているが、ハードディスクレコーダでも構わない。この場合、情報記憶媒体は、ハードディスクとなる。
【００２７】
ＰＵヘッド２は、図示しないレーザダイオード（ＬＤ）、コリメータレンズ、ビームスプリッタ、対物レンズ、フォトディテクタ、スレッドモータ、２軸のアクチュエータを備えている。
【００２８】
ＰＵヘッド２は、光ディスク１００の半径方向に延びる軸に移動自在に取り付けられている。スレッドモータ７が、ＰＵヘッド２を光ディスク１００の半径方向に移動する。
【００２９】
ＬＤは、レーザ光を出力する光源であり、フォトディテクタは、複数の受光素子で形成されており、光ディスク１００からの反射光を検出する。フォトディテクタは、例えば、受光領域がほぼ均等に４分割されており、４つの受光領域を形成している。
【００３０】
対物レンズは、光ディスク１００に対するレーザ光の照射位置を調節する。また、２軸のアクチュエータは、対物レンズを光ディスク１００に接離する方向、および光ディスク１００の半径方向に移動させる。
【００３１】
次に、再生時における動作を以下説明する。
【００３２】
ＰＵヘッド２は、光ディスク１００に対して読取パワーのレーザ光を照射し、光ディスク１００からの反射光をフォトディテクタで検出する。これにより、光ディスク１００に記録されているデータを光学的に読み出す。
【００３３】
再生回路３は、ＰＵヘッド２の複数の受光素子の出力に基づいてＲＦ信号を生成して増幅し、該ＲＦ信号を処理してＡＶ（Ａudio  Ｖisual）データを取り出す。ここで、取り出されるＡＶデータは、例えばＭＰＥＧ（Moving  Picture  Experts  Group）でエンコードされている。そして、そのＡＶデータは、再生回路３内蔵のバッファＲＡＭ（不図示）に一旦格納され、制御部６からの読み出し要求を待つ。
【００３４】
バッファＲＡＭに格納されているＡＶデータは、制御部６からの読み出し要求に従って順次読み出され、デコーダ４に転送（出力）される。
【００３５】
デコーダ４は、バッファＲＡＭに記憶（格納）されているＡＶデータをデコードする。デコードされたＡＶデータは、デコーダ４内蔵のデコードＲＡＭ（不図示）に一旦格納された後、再び読み出され、D／A回路５に順次転送される。
【００３６】
D／A回路５は、デコーダ４によって伸長されたＡＶデータをアナログの再生信号に変換し、その再生信号を外部に出力する。
【００３７】
また、操作部１０は、装置本体に対する入力操作を行う複数の操作キー（不図示）や、図示していないリモコンから送信されてきた装置本体１に対する制御コードを受信するリモコン受信部（不図示）を有している。操作部１０は、ユーザにより操作された操作キーに応じた制御コードや、リモコン受信部で受信した制御コードを制御部６に伝送する。
【００３８】
上記複数の操作キーの中には、光ディスク１００に記録されている映像や音声を再生する再生キー（不図示）と、映像や音声を早送りする早送りキー（不図示）と、記憶部１１が記憶する複数の２点間時間の中から所望の該２点間時間を選択する２点間時間選択キー（不図示）と、リピート再生を行うリピート再生キー（不図示）と、該リピート再生の再生開始点を指定する再生開始点指定キー（不図示）と、記憶部１１が記憶する複数の２点間時間の中から所望の２点間時間を選択するためのメニュー画面を表示部９に表示する（後述の図３参照）メニュー画面表示キー（不図示）と、がある。
【００３９】
図２は、光ディスク１００に記憶されている内容を示す図である。
【００４０】
ユーザは、テレビで放送されている番組を光ディスク１００に記録し、自分の都合にあわせて光ディスク１００に記録した番組を視聴する。光ディスク１００には、例えば図２に示すように、内周から外周にかけてＡＶデータである番組a、b、及びcが記録される。
【００４１】
光ディスク装置１は、上記再生機能の他、光ディスク１００に記録されているＡＶデータを繰り返し再生するリピート再生機能を有している。ユーザがＡＶデータの再生開始点（Ａ点）及び再生終了点（Ｂ点）の２点を指定すると、制御部６は、ＰＵヘッド２にこれら２点のアドレスを指定し、再生開始点（Ａ点）から該再生終了点（Ｂ点）までの２点間をリピート再生するリピート再生モードを実行する。例えば、ユーザが番組bのＡ点からＢ点までを繰り返し見たいと思えば、図２に示すように、再生開始点（Ａ点）及び再生終了点（Ｂ点）の２点を指定する。
【００４２】
記憶部１１は、例えばＥＥＰＲＯＭで構成されており、この２点間の長さを２点間時間として予め複数記憶する。２点間時間は、１０秒、３０秒、１分、５分、３０分、１時間、２時間である。
【００４３】
一方、表示部９は、例えば液晶パネルで構成されており、時刻、光ディスク装置１の設定状態などを表示する。その他、操作部１０でメニュー画面表示キーが押下されると、その制御コードが制御部６に伝送され、表示部９は、制御部６の指示により、後述の図３に示すようなメニュー画面を表示する。
【００４４】
図３は、表示部９に表示されるメニュー画面を示す図である。
【００４５】
メニュー画面には、記憶部１１が記憶する複数の２点間時間が表示され、ユーザは、２点間時間選択キーにより、この中（一覧）から所望の２点間時間を選択する。ユーザが該所望の２点間時間を選択すると、制御部６は、記憶部１１に記憶する。そして、制御部６は、記憶した該所望の２点間時間を、後述図４におけるｓ３の判断、およびｓ４の処理に使用する。
【００４６】
なお、この実施形態では表示部９を装置本体１に内蔵させているが、内蔵か否かを問わず、装置本体１外部にあっても良い。例えば、上記メニュー画面を装置本体１外部の液晶モニターに表示させてもよい。
【００４７】
制御部６は、例えばマイクロコンピュータで構成されている。
【００４８】
ここで、再生回路３及びＰＵヘッド２が、本発明の「読取手段」に相当する。光ディスク１００が、本発明の「情報記憶媒体」に相当する。光ディスク装置１が、本発明の「再生装置」に相当する。
【００４９】
なお、実際の光ディスク装置では、読取時に、レーザ光の照射位置を光ディスクのトラックの中心に合わせるトラッキングサーボ制御と、レーザ光の合焦位置を光ディスクの記録面に合わせるフォーカスサーボ制御と、を行っているが、本発明の実施形態では図示を省略している。
【００５０】
図４は、本発明の実施形態である光ディスク装置の制御部がリピート再生キー押下時に行う動作を示すフローチャートである。
【００５１】
操作部１０でリピート再生キーが押下されると、制御部６は、操作部１０の再生開始点指定キーで再生開始点（Ａ点）を指定する旨を表示部９に表示させる（ｓ１）。
【００５２】
制御部６は、ユーザが再生開始点指定キーで再生開始点（Ａ点）を指定するのを待って（ｓ２）、２点間時間が選択されているか判断する（ｓ３）。この判断は、図３の説明で述べた、ユーザ所望の２点間時間が、選択により、記憶部１１に記憶されているか否かにより行う。
【００５３】
いずれかの２点間時間が選択されていると判断すると、制御部６は、ｓ２で指定された再生開始点（Ａ点）に、選択されている２点間時間を加えて再生終了点（Ｂ点）を算出し、再生終了点（Ｂ点）を自動で指定する（ｓ４）。
【００５４】
そして、制御部６は、ｓ２で指定された再生開始点（Ａ点）から、ｓ４で自動指定された再生終了点（Ｂ点）までの２点間でリピート再生モードを実行し（ｓ５）、本処理を終了する。これにより、再生開始点（Ａ点）から再生終了点（Ｂ点）までの２点間でリピート再生が行われる。
【００５５】
以上より、リピート再生する際に指定する再生終了点を自動で指定するため、ユーザに煩わしさを感じさせることがなくなる。
【００５６】
一方、ｓ３において、２点間時間が選択されていないと判断すると、制御部６は、操作部１０で再生終了点（Ｂ点）を手動にて指定する旨を表示部９に表示させる（ｓ６）。
【００５７】
そして、制御部６は、ユーザが再生終了点（Ｂ点）を手動指定するのを待って（ｓ７）、ｓ２で指定された再生開始点（Ａ点）から、ｓ７で指定された再生終了点（Ｂ点）までの２点間でリピート再生モードを実行し（ｓ５）、本処理を終了する。これにより、再生開始点（Ａ点）から再生終了点（Ｂ点）までの２点間でリピート再生が行われる。
【００５８】
以下、本発明の他の実施形態である光ディスク装置について説明する。
【００５９】
本発明の他の実施形態である光ディスク装置における構成は、上記本発明の実施形態である光ディスク装置１と同様である。
【００６０】
図５は、本発明の他の実施形態である光ディスク装置の制御部がリピート再生キー押下時に行う動作を示すフローチャートである。この動作は、図４における動作にｓ１８〜２０を追加した動作であり、その他の処理（ｓ１〜７）については同じである。
【００６１】
ｓ１８〜２０の処理は、再生終了点（Ｂ点）におけるコマーシャル（ＣＭ）をカットする処理である。以下、詳述する。
【００６２】
制御部６は、ｓ５の処理を行い、リピート再生モードを実行している場合において、再生終了点（Ｂ点）を自動で指定したか判断する（ｓ１８）。このように判断させた理由は、ユーザが手動でＢ点を指定した場合、Ｂ点が例えＣＭに含まれてあろうと、ユーザが希望する位置と判断できるからである。
【００６３】
再生終了点（Ｂ点）を自動で指定していない、つまり手動で指定したと判断すると、制御部６は、本処理を終了する。
【００６４】
一方、再生終了点（Ｂ点）を自動で指定したと判断すると、制御部６は、リピート再生モードの再生終了点（Ｂ点）まで再生したときに、現在位置である再生終了点（Ｂ点）がテレビ番組のＣＭに含まれるか否か判断する（ｓ１９）。
【００６５】
ここで、ＣＭの検出は、例えばテレビ番組と該テレビ番組のＣＭとの信号の違いを読み取り、ステレオ放送になった時、つまり音声信号切替え時、コマーシャルになったと判断する方法により行う。また、別の方法としては、音声信号切替え時だけでなく、テレビ番組と該テレビ番組のＣＭとの音声や映像の変化から、シーンチェンジを検出する方法もある。
【００６６】
ｓ１９において、再生終了点（Ｂ点）がＣＭに含まれると判断した場合、制御部６は、該ＣＭをカットするため、再生終了点（Ｂ点）を該ＣＭの先頭アドレス（Ｂ´点）にシフト（言い換えれば補正）し（ｓ２０）、本処理を終了する。これにより、再生開始点（Ａ点）から、シフト後の再生終了点（Ｂ´点）までの２点間でリピート再生が行われる。
【００６７】
ここで、該ＣＭの先頭アドレスにシフトさせているが、該ＣＭが始まる前のテレビ番組の末端アドレスでも構わない。
【００６８】
以上より、より適切な再生終了点が自動で指定される。
【００６９】
なお、上記ＣＭカットの動作を無効にするか否か選択するキーを操作部１０に設けても良い。そして、上記ＣＭカットの動作が必要ない場合、ユーザに該キーを操作させ、この動作を無効にさせる。
【００７０】
一方、ｓ１９において、再生終了点（Ｂ点）がＣＭに含まれていないと判断した場合、制御部６は、本処理を終了する。
【図面の簡単な説明】
【００７１】
【図１】本発明の実施形態である光ディスク装置の主要な構成を示すブロック図
【図２】光ディスク１００に記憶されている内容を示す図
【図３】表示部９に表示されるメニュー画面を示す図
【図４】本発明の実施形態である光ディスク装置の制御部がリピート再生キー押下時に行う動作を示すフローチャート
【図５】本発明の他の実施形態である光ディスク装置の制御部がリピート再生キー押下時に行う動作を示すフローチャート
【符号の説明】
【００７２】
１−光ディスク装置
２−ピックアップヘッド
３−再生回路
４−デコーダ
５−D／A回路
６−制御部
９−表示部
１０−操作部
１１−記憶部
１００−光ディスク
【図１】
2007059976.tif 000003
【図２】
2007059976.tif 000004
【図３】
2007059976.tif 000005
【図４】
2007059976.tif 000006
【図５】
2007059976.tif 000007